(57)【特許請求の範囲】
【請求項１】
タイムコードおよび映像信号が記録されたビデオテープと前記ビデオテープから独立したメモリとを有するビデオカセットを装着するビデオテープレコーダにおいて、
前記ビデオテープに記録された映像信号を再生する再生手段、
前記再生手段の再生位置に対応するタイムコードを前記ビデオテープから検出する検出手段、
前記再生手段が起動しているときに時分割操作を受け付ける第１受付手段、
前記第１受付手段による受け付け時点で前記検出手段によって検出されたタイムコードに基づいて前記ビデオテープに記録された映像信号を複数の時間帯に分割する時分割手段、
前記時分割手段による時分割処理の後でかつ前記再生手段が起動しているときに情報設定操作を受け付ける第２受付手段、
前記時分割手段によって分割された複数の時間帯のうち前記第２受付手段による受け付け時点で前記検出手段によって検出されたタイムコードが属する時間帯に対応付けて映像調整情報を前記メモリに書き込む書き込み手段、および
前記再生手段によって再生された映像信号の特性を前記メモリに格納された映像調整情報のうち前記検出手段によって検出されたタイムコードが属する時間帯に対応する映像調整情報に基づいて調整する調整手段を備えることを特徴とする、ビデオテープレコーダ。
【請求項２】
前記書き込み手段は前記情報設定操作の後の情報書込操作に応答して書き込み処理を行う、請求項１記載のビデオテープレコーダ。
【請求項３】
前記メモリに書き込まれた映像調整情報を前記時分割手段によって分割された時間帯毎に消去する消去手段をさらに備える、請求項１または２記載のビデオテープレコーダ。
【請求項４】
前記映像調整情報は、色調，色合い，コントラストおよび明るさの少なくとも１つを含む、請求項１ないし３のいずれかに記載のビデオテープレコーダ。
【請求項５】
前記映像調整情報は、前記再生手段によって再生された映像信号に特殊効果をかけるための情報を含む、請求項１ないし４のいずれかに記載のビデオテープレコーダ。
【発明の詳細な説明】
【０００１】
【産業上の利用分野】
この発明はビデオテープレコーダに関し、特にたとえばビデオカセット内にメモリを有するビデオテープを再生する、ビデオテープレコーダに関する。
【０００２】
【従来の技術】
従来、ビデオテープレコーダで再生する映像としては、テレビ番組を録画したものがほとんどであったが、最近は、ビデオカメラで撮影したものやコンピュータグラフィクスなど、再生する映像が多様化してきている。このため、それぞれの映像によって明るさや色調にばらつきがあり、これらの映像を同一モニタで鑑賞するときは、ユーザがモニタ付属の調整ＶＲ(Variable Resister) によって明るさや色調を調整していた。
【０００３】
【発明が解決しようとする課題】
しかし、これではビデオカセットを交換したり、同じビデオカセット内の映像プログラムが変わったりするたびに明るさや色調を再調整する必要があるため、調整に手間がかかるという問題があった。
それゆえに、この発明の主たる目的は、明るさや色調などを再調整することなしにきれいな映像を再生することができる、ビデオテープレコーダを提供することである。
【０００４】
【課題を解決するための手段】
この発明によれば、タイムコードおよび映像信号が記録されたビデオテープとビデオテープから独立したメモリとを有するビデオカセットを装着するビデオテープレコーダは、ビデオテープに記録された映像信号を再生する再生手段、再生手段の再生位置に対応するタイムコードをビデオテープから検出する検出手段、再生手段が起動しているときに時分割操作を受け付ける第１受付手段、第１受付手段による受け付け時点で検出手段によって検出されたタイムコードに基づいてビデオテープに記録された映像信号を複数の時間帯に分割する時分割手段、時分割手段による時分割処理の後でかつ再生手段が起動しているときに情報設定操作を受け付ける第２受付手段、時分割手段によって分割された複数の時間帯のうち第２受付手段による受け付け時点で検出手段によって検出されたタイムコードが属する時間帯に対応付けて映像調整情報をメモリに書き込む書き込み手段、および再生手段によって再生された映像信号の特性をメモリに格納された映像調整情報のうち検出手段によって検出されたタイムコードが属する時間帯に対応する映像調整情報に基づいて調整する調整手段を備えることを特徴とする。
【０００５】
【作用】
ビデオテープレコーダにビデオカセットを装着し、たとえば映像補正スイッチをオンすると、たとえばマイクロプロセサがビデオカセットに含まれるメモリからたとえば色調および明るさに関する映像調整情報を読み出し、これをたとえば映像信号処理回路に与える。したがって、映像信号処理回路からは、この映像調整情報に基づいて調整された再生映像信号が出力され、これによって、モニタに色調および明るさが調整された映像が映し出される。
【０００６】
なお、ビデオカセットのメモリに映像調整情報を書き込むときは、まずたとえば補正設定ボタンを押し、次にビデオテープレコーダに設けられたたとえば調整ＶＲを操作することによって再生映像の色調および明るさを調整し、その後たとえば補正書込ボタンを押せばよい。そうすれば、調整ＶＲの値がマイコンによってビデオカセットのメモリに書き込まれる。また、メモリに書き込まれた映像調整情報を消去するときは補正消去ボタンを押せばよい。
【０００７】
さらに、たとえばメモリに時間を書き込むことによって記録映像を時分割し、時分割された記録映像毎に映像調整情報を書き込むようにすれば、たとえば１つのビデオテープに複数の映像プログラムが記録されているような場合、各映像プログラム毎に色調および明るさが調整された映像が映し出される。また、補正消去ボタンまたはメモリ消去ボタンを押せば各映像プログラム毎にまたは一斉に映像調整情報が消去される。
【０００８】
【発明の効果】
この発明によれば、ビデオカセットに含まれるメモリから読み出された映像調整情報によってビデオテープの再生映像が調整されるので、ビデオカセットを交換したり、同じビデオカセットから再生される映像プログラムが変わる度に、映像を再調整することなしにきれいな映像を映し出すことができる。
【０００９】
この発明の上述の目的，その他の目的，特徴および利点は、図面を参照して行う以下の実施例の詳細な説明から一層明らかとなろう。
【００１０】
【実施例】
図１を参照して、この実施例の民生用ビデオテープレコーダ１０は映像再生ヘッド１２ａおよび１２ｂを含み、これによって再生された映像信号がプリアンプ１４を介して映像信号処理回路１６に与えられる。映像信号処理回路１６にはまた、スイッチ１８から出力された色調調整信号，色合い調整信号，コントラスト調整信号および明るさ調整信号が与えられ、これによって再生映像信号に所定の処理がかけられる。映像信号処理回路１６から出力された信号は、その後モニタ２０に与えられ、これによってモニタ２０に再生映像が表示される。
【００１１】
映像信号処理回路１６には、調整ＶＲ２２ａ〜２２ｄから出力された色調，色合い，コントラストおよび明るさの調整信号あるいはマイクロプロセサ２４から出力された映像調整信号に含まれる色調，色合い，コントラストおよび明るさの調整信号が与えられる。すなわち、マイクロプロセサ２４からの制御信号によってスイッチ１８が端子Ｃ１〜Ｃ４と接続されるときは調整ＶＲ２２ａ〜２２ｄから出力された調整信号が映像信号処理回路１６に与えられ、スイッチ１８が端子Ｃ５〜Ｃ８と接続されるときはマイクロプロセサ２４から出力された映像調整信号に含まれる色調，色合い，コントラストおよび明るさの調整信号が映像信号処理回路１６に与えられる。
【００１２】
マイクロプロセサ２４には、映像補正スイッチ２６，補正設定ボタン２８，補正書込ボタン３０および補正消去ボタン３２が接続される。映像補正スイッチ２６をオンすることによって、ビデオカセット３４に含まれるメモリ３４ａから読み出された映像調整データが、図３（Ａ）に示す映像調整信号としてマイクロプロセサ２４から出力され、補正設定ボタン２８を押すことによって、メモリ補正用調整ＶＲ３６ａ〜３６ｄから出力された色調調整信号，色合い調整信号，コントラスト調整信号および明るさ調整信号が、映像調整信号としてマイクロプロセサ２４から出力される。また、補正書込ボタン３０を押すことによって、メモリ補正用調整ＶＲ３６ａ〜３６ｄ出力が画像調整データとしてメモリ３４ａに書き込まれ、補正消去ボタン３２を押すことによって、メモリ３４ａに書き込まれた映像調整データが消去される。なお、メモリ３４ａには、図２に示すようにデータが書き込まれる。すなわち、アドレス“００００”にデータが書き込まれているかどうかを判断するためのマーカーＭが書き込まれ、アドレス“０００１”〜“０００４”にそれぞれ色調，色合い，コントラストおよび明るさの調整データが書き込まれ、そしてアドレス“０００５”にエンドマーカーが書き込まれる。また、マイクロプロセサ２４には、ビデオカセット３４の装着の有無を検出するスイッチ３８，マイクロプロセサ２４内のプログラムを実行させるための発振子４０およびビデオカセット３４に含まれるメモリ３４ａを調整している間点灯するＬＥＤ４２が接続される。
【００１３】
マイクロプロセサ２４からは図３（Ａ）に示すようにして映像調整信号が出力され、これが、Ｄ／Ａ変換器４４でアナログ信号に変換され、スイッチ４６に与えられる。そして、マイクロプロセサ２４からの制御信号によって、映像調整信号に含まれる色調調整信号，色合い調整信号，コントラスト調整信号および明るさ調整信号が図３（Ｂ），（Ｅ），（Ｈ）および（Ｋ）に示すように分割され、これらの信号が端子Ｃ９〜Ｃ１２を介してホールド回路４８ａ〜４８ｄに与えられる。なお、スイッチ４６に与えられる制御信号は２ビットのディジタル信号であり、このディジタル信号が“００”であるときスイッチは端子Ｃ９と接続され、ディジタル信号が“０１”であるとき端子Ｃ１０と接続され、ディジタル信号が“１０”であるとき端子Ｃ１１と接続され、そしてディジタル信号が“１１”であるとき端子Ｃ１２と接続される。ホールド回路４８ａ〜４８ｄにおいては、マイクロプロセサ２４から出力された図３（Ｃ），（Ｆ），（Ｉ）および（Ｌ）に示すホールド信号によって入力信号がホールドされ、これによってホールド回路４８ａ〜４８ｄからスイッチ１８に対して図３（Ｄ），（Ｇ），（Ｊ）および（Ｍ）に示す色調，色合い，コントラストおよび明るさの調整信号が与えられる。
【００１４】
続いて、図４および図５を参照して、マイクロプロセサ２４の処理動作について説明する。まず、ステップＳ１においてホールドパルスおよびマイクロプロセサ２４に含まれるＲＡＭ２４ａを初期化し、次にステップＳ３においてスイッチ１８を端子Ｃ１〜Ｃ４に接続する。続いて、ステップＳ５においてビデオカセット３４が装着されたかどうか判断し、装着されれば、ステップＳ７において映像補正スイッチ２６がオンされているかどうか判断する。ここで、“ＮＯ”であればステップＳ９においてスイッチ１８を端子Ｃ１〜Ｃ４に接続するが、“ＹＥＳ”であれば、ステップＳ１１においてビデオカセット３４に含まれるメモリ３４ａの内容を読み出しＲＡＭ２４ａに書き込む。その後、ステップＳ１３においてメモリ３４ａから読み出したデータに含まれるマーカーＭが規定値であるかどうか判断し、“ＮＯ”であればステップＳ１５においてスイッチ１８を端子Ｃ１〜Ｃ４に接続しステップＳ２３に移行するが、“ＹＥＳ”であれば、ステップＳ１７においてＲＡＭ２４ａの内容をＤ／Ａ変換器４４に出力する。さらに、ステップＳ１９においてスイッチ４６を所定時間毎に端子Ｃ９からＣ１２まで切り換え、ステップＳ２１においてスイッチ１８を端子Ｃ５〜Ｃ８に切り換える。
【００１５】
その後、ステップＳ２３において補正設定ボタン２８が押されたかどうか判断し、“ＹＥＳ”であればステップＳ２５においてＬＥＤ４２が点灯しているかどうか判断する。そして、ＬＥＤ４２が点灯していればステップＳ２７においてＬＥＤ４４を消灯しステップＳ７に戻るが、ＬＥＤが点灯していなければ、ステップＳ２９においてＬＥＤ４２を点灯し、ステップＳ３１においてメモリ補正用調整ＶＲ３６ａ〜３６ｄから出力された調整信号をマイクロプロセサ２４に含まれるＲＡＭ２４ｂに書き込む。詳しく説明すると、メモリ補正用調整ＶＲ３６ａ〜３６ｄからの出力を所定期間毎の割り込みによってＲＡＭ２４ｂに書き込む。このため、メモリ補正用調整ＶＲ３６ａ〜３６ｄを操作すれば、これに対応する映像調整信号がＲＡＭ２４ｂに書き込まれる。続いて、ステップＳ３３においてＲＡＭ２４ｂの内容をＤ／Ａ変換器４４に出力し、ステップＳ３５においてスイッチ４６を所定時間毎に切り換え、ステップＳ３６においてスイッチ１８を端子Ｃ５〜Ｃ８に接続する。その後、ステップＳ３７においてメモリ補正スイッチ２６がオンされているかどうか判断し、“ＮＯ”であればステップＳ７に戻るが、“ＹＥＳ”であればステップＳ３９においてビデオカセット３４が取り出されたかどうか判断する。そして、“ＹＥＳ”であればステップＳ５に戻るが、“ＮＯ”であればステップＳ２３に戻る。
【００１６】
ステップＳ２３において“ＮＯ”と判断されると、次にステップＳ４１において補正書込ボタン３０が押されたかどうか判断する。そして、“ＹＥＳ”であればステップＳ４３においてＬＥＤ４２が点灯しているかどうか判断する。ここでも“ＹＥＳ”と判断されると、ステップＳ４５においてＲＡＭ２４ｂの内容をビデオカセット３４に含まれるメモリ３４ａに書き込むとともにＲＡＭ２４ｂを初期化し、ステップＳ４７においてマーカーＭをセットする。その後、ステップＳ４９においてマーカーＭをメモリ３４ａに書き込み、ステップＳ２７に移行する。一方、ステップＳ４１およびＳ４３において“ＮＯ”と判断されると、ステップＳ５１において補正消去ボタン３２が押されたかどうか判断する。ここで、“ＮＯ”と判断されるとステップＳ３７に移行するが、“ＹＥＳ”と判断されると、ステップＳ５３においてマーカーＭをクリアし、ステップＳ５５においてクリアされたマーカーＭをビデオカセット３４のメモリ３４ａに書き込み、ステップＳ２７に移行する。
【００１７】
動作において、ビデオカセット３４を装着し、映像補正スイッチ２６をオンすると、メモリ３４ａの内容が読み出され、これが映像調整信号としてマイクロプロセサ２４から出力される。出力された映像調整信号は、その後Ｄ／Ａ変換器４４でアナログ信号に変換され、端子Ｃ９〜Ｃ１２から色調，色合い，コントラストおよび明るさの調整信号が出力される。その後、これらの信号はホールド回路４８ａ〜４８ｄでホールドされ、ホールドされたそれぞれの信号がスイッチ１８を経て映像信号処理回路１６に与えられる。したがって、映像信号処理回路１６からは色調，色合い，コントラストおよび明るさが調整された映像信号がモニタ２０に対して出力され、これによってモニタ２０からはきれいな映像が映し出される。なお、メモリ３４ａから読み出されたデータに含まれるマーカーＭが規定値でなければ、スイッチ１８は端子Ｃ１〜Ｃ４と接続され、映像信号処理回路１６には調整ＶＲ２２ａ〜２２ｄから出力された色調，色合い，コントラストおよび明るさの調整信号が与えられる。
【００１８】
ＬＥＤ４２が消灯しているときに補正設定ボタン２８を押すと、メモリ補正用調整ＶＲ３６ａ〜３６ｄから出力された色調調整信号，色合い調整信号，コントラスト調整信号および明るさ調整信号が一旦ＲＡＭ２４ｂに書き込まれた後、ＲＡＭ２４ｂの内容が映像信号処理回路１６に与えられる。そしてこの調整信号に基づいて映像が調整される。この後、補正書込ボタン３０が押されると、ＲＡＭ２４ｂに書き込まれた映像調整データがビデオカセット３４のメモリ３４ａに書き込まれ、さらに規定値にセットされたマーカーＭが書き込まれる。したがって、次回からは、メモリ３４ａに書き込まれた映像調整データによって再生映像が調整される。なお、補正設定ボタン２８を押す前に補正書込ボタン３０を押しても、ＬＥＤ４２は点灯していないため、ＲＡＭ２４ｂの内容がメモリ３４ａに書き込まれることはない。
【００１９】
補正消去ボタン３２が押されると、マーカーＭをクリアし、これをビデオカセット３４のメモリ３４ａに書き込む。これによってメモリ３４ａのマーカーＭは規定値でなくなり、メモリ３４ａの内容に基づいて再生映像が調整されることはない。
この実施例によれば、ビデオカセット３４に含まれるメモリ３４ａから読み出された映像調整信号によって映像信号が調整され、調整された映像信号に基づいてモニタ２０に映像が映し出されるので、ビデオカセット３４を交換する度に、色調や明るさなどを再調整したり記録映像信号に手を加えたりしなくても、きれいな映像をモニタ２０に映し出すことができる。
【００２０】
なお、この実施例ではＶＨＳなどの民生用ビデオテープレコーダを用いて説明したが、この発明はこの場合に限らず、業務用ビデオテープレコーダにも適用できることはもちろんである。さらに業務用ビデオテープレコーダとして１インチＶＴＲ規格を採用したものを用い、ビデオカセットのメモリにＳＭＰＴＥのタイムコードを付加するようにすれば、記録時に、図６に示すアドレス“０００４”，“０００６”および“０００８”に各映像プログラムの開始時間，終了時間および記録日時を書き込むことができる。このため、同一ビデオカセット内の複数の映像プログラムそれぞれについて映像調整データを書き込むことができ、同一ビデオカセット内の映像が変わる度に映像を再調整したりすることなく、きれいな映像を映し出すことができる。さらに、民生用ビデオテープレコーダにおいても、ＳＭＰＴＥタイムコードが規格上追加されれば、この発明を適用することができる。
【００２１】
図７を参照して、他の実施例の民生用ビデオテープレコーダ１０は、図１に示す民生用ビデオテープレコーダとほぼ同様の構成となっており、動作についてもほぼ同様となっているので、異なる点についてのみ説明し、同様の点についての説明は省略する。異なる点としては、アンプ１４とマイクロプロセサ２４との間にＳＭＰＴＥ検出回路５０が介挿され、アンプ１４から出力された映像信号に基づいて検出されたＳＭＰＴＥ情報がマイクロプロセサ２４に与えられる点と、マイクロプロセサ２４と映像信号処理回路１６との間にオンスクリーンキャラクタジェネレータ５２が介挿され、マイクロプロセサ２４から出力された制御信号に基づいて映像信号処理回路１６にキャラクタ信号が与えられる点と、マイクロプロセサ２４にオンスクリーン表示ボタン５４，プログラム設定ボタン５６，プログラム書込ボタン５８およびメモリ消去ボタン６０が接続される点と、マイクロプロセサ２４からＬＥＤ４２が取り外される点である。
【００２２】
図８〜図１２を参照して、マイクロプロセサ２４の処理動作について説明する。まず、ステップＳ６１においてホールドパルスおよびＲＡＭ２４ａを初期化し、次にステップＳ６３においてスイッチ１８を端子Ｃ１〜Ｃ４に接続する。続いて、ステップＳ６５においてビデオカセット３４が装着されたかどうか判断し、装着されれば、ステップＳ６７において映像補正スイッチ２６がオンされているかどうか判断する。ここで、“ＮＯ”であればステップＳ６９においてスイッチ１８を端子Ｃ１〜Ｃ４に接続するが、“ＹＥＳ”であれば、ステップＳ７１においてビデオカセット３４に含まれるメモリ３４ａの内容を読み出しＲＡＭ２４ａに書き込む。その後、ステップＳ７３においてＳＭＰＴＥ情報を読み込み、ステップＳ７５において現在のＴＴ（時）：ＭＭ（分）：ＳＳ（秒）が所定のプログラム時間であるかどうか判断する。なお、ＴＴ：ＭＭ：ＳＳとは、ビデオカセット３４が完全に巻き取られた状態からカウントされる絶対時間を意味する。ステップＳ７３において“ＮＯ”であればステップＳ６９に移行するが、“ＹＥＳ”であれば、ステップＳ７７においてメモリ３４ａ内の所定のプログラムに対応するマーカーＭが規定値であるかどうか判断する。ここで、“ＮＯ”であればステップＳ６９に移行するが、“ＹＥＳ”であれば、ステップＳ７９においてＲＡＭ２４ａの内容をＤ／Ａ変換器４４に出力する。さらに、ステップＳ８１においてスイッチ４６を所定時間毎に端子Ｃ９からＣ１１まで切り換え、ステップＳ８３においてスイッチ１８を端子Ｃ５〜Ｃ８に切り換える。
【００２３】
ステップＳ６９またはＳ８３の処理を終えると、ステップＳ８５においてスクリーン表示ボタン５４が押されたかどうか判断し、“ＹＥＳ”であればステップＳ８７においてモニタ２０にオンスクリーン表示があるかどうか判断する。そして、さらに“ＹＥＳ”であればステップＳ８９においてオンスクリーン表示をオフし、ステップＳ９１において「設定モード」をリセットし、そしてステップＳ９３においてビデオカセット３４が取り出されたかどうか判断する。ここで、“ＮＯ”であればステップＳ６７に戻るが、“ＹＥＳ”であれば、ステップＳ９５においてオンスクリーン表示をオフし、ステップＳ９７において「設定モード」をリセットしてステップＳ６５に戻る。
【００２４】
一方、ステップＳ８７において“ＮＯ”であれば、ステップＳ９９においてモニタ２０にＴＴ：ＭＭ：ＳＳを表示し、ステップＳ１０１において、表示されているＴＴ：ＭＭ：ＳＳの時間にプログラムがセット済みであるかどうか判断する。そして、“ＹＥＳ”であれば、ステップＳ１０３においてプログラムNo. を表示してステップＳ９３に移行するが、“ＮＯ”であれば直接ステップＳ９３に移行する。また、ステップＳ８５において“ＮＯ”と判断されると、ステップＳ１０５においてモニタ２０にオンスクリーン表示があるかどうか判断し、“ＮＯ”であればステップＳ９３に移行するが、“ＹＥＳ”であれば、ステップＳ１０７においてプログラム設定ボタン５６が押されたかどうか判断する。そして、“ＹＥＳ”であればステップＳ１０９においてプログラムがセット済みであるかどうか判断し、ステップＳ１０７において“ＮＯ”であるかまたはステップＳ１０９において“ＹＥＳ”であれば、ステップＳ１１３に移行する。ステップＳ１０９において“ＮＯ”であれば、ステップＳ１１１においてプログラムNo. を点滅させ、ステップＳ９３に移行する。
【００２５】
ステップＳ１１３においては、プログラム書込ボタン５８が押されたかどうか判断し、“ＮＯ”であればステップＳ１２４に移行するが、“ＹＥＳ”であれば、ステップＳ１１５においてプログラムNo. が点滅しているかどうか判断する。ここで、“ＮＯ”であればステップＳ１２４に移行するが、“ＹＥＳ”であれば、ステップＳ１１７においてプログラムNo. を点灯させるとともにＴＴ：ＭＭ：ＳＳのインクリメントをストップさせ、ステップＳ１１９においてＴＴ：ＭＭ：ＳＳをビデオカセット３４のメモリ３４ａに書き込む。ステップＳ１１９の処理を具体的に説明すると、ステップＳ１１７において点灯したプログラムNo. が“１”であれば、図１３に示すメモリ内容のアドレス“０００４”にプログラム１開始時間としてプログラム書込ボタン５８が押されたときのＴＴ：ＭＭ：ＳＳを書き込む。また、ステップＳ１１７において点灯したプログラムNo. が“２”であれば、アドレス“０００Ｅ”にプログラム２開始時間としてプログラム書込ボタン５８が押されたときのＴＴ：ＭＭ：ＳＳを書き込む。続いて、ステップＳ１２１において、点灯させたプログラムNo. およびこれに対応するＴＴ：ＭＭ：ＳＳの表示を上に移動させ、ステップＳ１２２において次のプログラムNo. を点滅させる。その後、ステップＳ１２３において現在のＴＴ：ＭＭ：ＳＳを表示し、ステップＳ８５に戻る。
【００２６】
ステップＳ１２４においては、映像補正スイッチ２６がオンされているかどうか判断し、“ＹＥＳ”であればステップＳ１２５においてプログラムがセット済みであるかどうか判断するが、ステップＳ１２４において“ＮＯ”であるかあるいはステップＳ１２５において“ＮＯ”であれば、ステップＳ１２３に移行する。ステップＳ１２５において“ＹＥＳ”であれば、ステップＳ１２６においてメモリ消去ボタン６０がオンされたかどうか判断し、“ＹＥＳ”であればステップＳ１２７において全てのマーカーＭをクリアし、ステップＳ１２９においてクリアされたマーカーＭをビデオカセット３４内のメモリ３４ａに書き込む。そして、ステップＳ１３１においてメモリ３４ａの全てのＴＴ：ＭＭ：ＳＳ（全てのプログラムの開始時間）を初期化し、ステップＳ１３３においてプログラムNo. および対応するＴＴ：ＭＭ：ＳＳの表示をオフし、ステップＳ９９に戻る。
【００２７】
ステップＳ１２５において“ＮＯ”であれば、ステップＳ１３５において補正設定ボタン２６が押されたかどうか判断し、“ＹＥＳ”であればステップＳ１３７においてモードを「設定モード」にセットする。その後、ステップＳ１３９において現在のプログラムNo. について“＊”を点滅させ、ステップＳ１４１においてメモリ補正用調整ＶＲ３６ａ〜３６ｄ出力をＲＡＭ２４ｂの所定アドレスに書き込む。すなわち、現在のプログラムNo. が“１”であれば、図１３のアドレス“０００Ａ”〜“０００Ｄ”にメモリ補正用調整ＶＲ３６ａ〜３６ｄの出力を書き込む。なお、このステップＳ１４１も上述のステップＳ３１と同様にメモリ補正用調整ＶＲ３６ａ〜３６ｄの出力を所定時間毎の割り込みによってＲＡＭ２４ｂに書き込む。さらに、ステップＳ１４３においてＲＡＭ２４ｂの内容をＤ／Ａ変換器４４に出力し、ステップＳ１４５においてスイッチ４６を所定時間毎に端子Ｃ９からＣ１２まで切り換える。その後、ステップＳ１４７においてスイッチ１８を端子Ｃ５〜Ｃ８に切り換え、ステップＳ８５に戻る。
【００２８】
ステップＳ１３５において“ＮＯ”と判断されると、ステップＳ１４９においてモードが「設定モード」であるかどうか判断し、“ＮＯ”であればステップＳ１６９に移行するが、“ＹＥＳ”であれば、ステップＳ１５１において補正書込ボタン３０が押されたかどうか判断する。そして、“ＹＥＳ”であればステップＳ１５３において現在のプログラムNo. について“＊”を点灯させ、ステップＳ１５５においてＲＡＭ２４ｂの内容をビデオカセット３４のメモリ３４ａに書き込み、ＲＡＭ２４ｂを初期化する。さらに、ステップＳ１５７においてマーカーＭをセットし、ステップＳ１５９においてマーカーＭをメモリ３４ａ内の所定のアドレスに書き込み、そしてステップＳ８５に戻る。ステップＳ１５１において“ＮＯ”と判断されると、ステップＳ１６１において補正消去ボタン３２が押されたかどうか判断し、“ＮＯ”であればステップＳ１６９に移行するが、“ＹＥＳ”であればステップＳ１６３において現在のプログラムNo. について“＊”を点滅させ、ステップＳ１６５においてマーカーＭをクリアする。そして、ステップＳ１６７においてクリアされたマーカーＭをメモリ３４ａ内の現在のプログラムNo. に対応するアドレスに書き込み、ステップＳ８５に戻る。
【００２９】
ステップＳ１６９においては、現在のＴＴ：ＭＭ：ＳＳをモニタ２０に表示し、次にステップＳ１７１において、現在のＴＴ：ＭＭ：ＳＳがステップＳ７７における所定のプログラムの時間内であるかどうか判断する。ここで、“ＹＥＳ”であればステップＳ８５に戻るが、“ＮＯ”であればステップＳ１７３においてプログラムの表示を更新する。すなわち、これまで表示されていたプログラムNo. およびこれに対応するＴＴ：ＭＭ：ＳＳ（開始時間）を上に移動させ、次のプログラムNo. および現在のＴＴ：ＭＭ：ＳＳを表示する。また、これまで表示されていたプログラムNo. について“＊”が点滅していたときは、これを消灯して次のプログラムNo. について、点滅する“＊”を表示する。その後、ステップＳ１７５において映像補正スイッチ２６がオンされているかどうか判断し、“ＮＯ”であればスイッチ１８を端子Ｃ１〜Ｃ４に接続してステップＳ８５に戻るが、“ＹＥＳ”であれば、ステップＳ１７９においてメモリ３４ａの内容をＲＡＭ２４ａに書き込み、ステップＳ１８１においてマーカーＭが規定値であるかどうか判断する。
【００３０】
ここで、“ＮＯ”であればステップＳ１８３においてスイッチ１８を端子Ｃ１〜Ｃ４に接続しステップＳ１９３に移行するが、“ＹＥＳ”であれば、ステップＳ１８５において現在のプログラムNo. について“＊”を点灯させ、ステップＳ１８７においてＲＡＭ２４ａの内容をＤ／Ａ変換器４４に出力する。さらに、ステップＳ１８９においてスイッチ４６を所定時間毎に端子Ｃ９からＣ１２まで切り換え、ステップＳ１９１においてスイッチ１８を端子Ｃ５〜Ｃ８に切り換える。ステップＳ１８３またはステップＳ１９１の処理を終えると、ステップＳ１９３においてモードが「設定モード」にセットされているかどうか判断し、“ＮＯ”であればステップＳ８５に戻るが、“ＹＥＳ”であればステップＳ１３９に戻る。
【００３１】
次に、ビデオカセット３４に記録された映像を複数のプログラムに分割する際の動作について説明する。まず、（Ａ）に示すようにオンスクリーン表示がないときスクリーン表示ボタン５４を押すと、（Ｂ）に示すように映像の再生に従ってインクリメントされるＴＴ：ＭＭ：ＳＳがモニタ２０に表示される。この状態で、プログラム設定ボタン５６を押すと、（Ｃ）に示すように「ＰＲＯＧ１」がモニタ２０上に点滅する。その後プログラム書込ボタン５８を押すと、（Ｄ）に示すように「ＰＲＯＧ１」が点灯し「ＰＲＯＧ１」の隣のＴＴ：ＭＭ：ＳＳがストップするとともに、モニタ２０上の１番下の列に点滅する「ＰＲＯＧ２」および現在のＴＴ：ＭＭ：ＳＳが表示される。さらにプログラム書込ボタン５８を押すと、（Ｅ）に示すように「ＰＲＯＧ２」が点灯しそのときのＴＴ：ＭＭ：ＳＳが表示されるとともに、点滅する「ＰＲＯＧ３」および現在のＴＴ：ＭＭ：ＳＳが表示される。（Ｃ）〜（Ｅ）のそれぞれの状態のときスクリーン表示ボタン５４を押すと、モニタ２０からオンスクリーン表示が消える。なお、プログラム書込ボタン５８を押すことによって、メモリ３４ａの所定のアドレスにそれぞれのプログラムの開始時間が書き込まれる。
【００３２】
次に、図１５を参照して、設定されたプログラムに映像調整情報を書き込むときの動作について説明する。まず、（Ａ）に示すようにモニタにオンスクリーン表示がされていないときスクリーン表示ボタン５４を押すと、（Ｂ）に示すように現在のＴＴ：ＭＭ：ＳＳおよびプログラムNo. が表示される。この状態で補正設定ボタンを押すと、（Ｃ）に示すようにプログラムNo. の横に“＊”が点滅するとともに映像調整信号が所定時間毎の割り込みでＲＡＭ２４ｂに書き込まれる。したがって、モニタ２０に映し出されたプログラム１の映像は、ＲＡＭ２４ｂに書き込まれた映像調整信号によって調整される。このとき調整ＶＲ３６ａ〜３６ｄを操作し、その後補正書込ボタン３０を押すと、ＲＡＭ２４ｂに書き込まれた映像調整信号がメモリ３４ａのプログラム１に対応するアドレスに書き込まれ、“＊”が点灯する。これによって、プログラム１の映像を再生するときは、いつでもメモリ３４ａに書き込まれた映像調整データによって調整された映像がモニタ２０に映し出される。補正消去ボタン３２を押すと、“＊”が点滅し、メモリ３４ａのプログラム１についてのマーカーＭがクリアされる。これによって、モニタ２０には、メモリ３４ａの映像調整データではなく調整ＶＲ２２ａ〜２２ｄからの調整信号によって調整された映像が映し出される。
【００３３】
ビデオカセットを巻き送ったり再生することによって再生映像がプログラム２の時間帯へ移ると、（Ｅ）に示すように現在のＴＴ：ＭＭ：ＳＳおよび「ＰＲＯＧ２」が表示される。なお、「ＰＲＯＧ１」の隣にはプログラム１の開始時間が表示される。そして、上述と同様に補正設定ボタン２８を押し、その後補正書込ボタン３０を押すと、（Ｆ）および（Ｇ）に示すように“＊”が点滅および点灯する。さらに、補正消去ボタン３２を押すことによって“＊”が点滅する。なお、（Ｅ）の状態からビデオカセット３４を巻き戻して再生映像がプログラム１の時間帯へ戻ると、モニタ２０には（Ｂ）に示すスクリーン表示が映し出される。また、（Ｃ）に示す状態からビデオカセット３４を早送りするなどして再生映像をプログラム２の時間帯へ移すと、（Ｆ）に示すように“＊”の点滅がプログラム２の方へ移り、（Ｆ）に示す状態からビデオカセットをプログラム１の時間帯へ巻戻しすると、モニタ２０の表示は（Ｃ）に示すようになり、“＊”はプログラム１の方へ移る。なお、メモリ消去ボタン６０を押すと、メモリ３４ａ内の全てのマーカーＭおよびＴＴ：ＭＭ：ＳＳが初期化され、これによって、モニタ２０には現在のＴＴ：ＭＭ：ＳＳのみが表示される。
【００３４】
この実施例によれば、記録映像を時分割することによって、それぞれの記録映像毎に画像調整情報を書き込むことができるので、各プログラム毎に色調および明るさが調整された映像をモニタ２０に映し出すことができる。
なお、これらの実施例では、映像調整信号によって再生映像の色調，色合い，コントラストおよび明るさを調整するようにしたが、この発明はこの場合に代えて、または加えて、映像にモザイク，エッジ強調，色バランス変更およびモノクロ再生などの特殊効果をかける場合にも適用できることはもちろんである。
【図面の簡単な説明】
【図１】この発明の一実施例を示すブロック図である。
【図２】図１実施例の動作の一部を示す図解図である。
【図３】（Ａ）は映像調整信号を示す図解図であり、（Ｂ），（Ｄ）は色調調整信号を示す図解図であり、（Ｃ），（Ｆ），（Ｉ）および（Ｌ）はホールド信号を示す波形図であり、（Ｅ）および（Ｇ）は色合い調整信号を示す波形図であり、（Ｈ）および（Ｊ）はコントラスト調整信号を示す波形図であり、（Ｋ）および（Ｍ）は明るさ調整信号を示す波形図である。
【図４】図１実施例の動作の一部を示すフロー図である。
【図５】図１実施例の動作の一部を示すフロー図である。
【図６】図１実施例の一部を示す図解図である。
【図７】この発明の他の実施例を示すブロック図である。
【図８】図７実施例の一部を示すフロー図である。
【図９】図７実施例の一部を示すフロー図である。
【図１０】図７実施例の一部を示すフロー図である。
【図１１】図７実施例の一部を示すフロー図である。
【図１２】図７実施例の一部を示すフロー図である。
【図１３】図７実施例の一部を示す図解図である。
【図１４】図７実施例の動作の一部を示す図解図である。
【図１５】図７実施例の動作の一部を示す図解図である。
【符号の説明】
１０  …ビデオテープレコーダ
１６  …映像信号処理回路
２４  …マイクロプロセサ
２６  …メモリ補正スイッチ
２８  …設定ボタン
３０  …書込ボタン
３２  …消去ボタン
３６ａ〜３６ｄ  …メモリ補正用設定ボタン
３４  …ビデオカセット
４８ａ〜４８ｄ  …ホールド回路
【図１】
0003675856.tif 000002
【図２】
0003675856.tif 000003
【図３】
0003675856.tif 000004
【図４】
0003675856.tif 000005
【図５】
0003675856.tif 000006
【図６】
0003675856.tif 000007
【図７】
0003675856.tif 000008
【図８】
0003675856.tif 000009
【図９】
0003675856.tif 000010
【図１０】
0003675856.tif 000011
【図１１】
0003675856.tif 000012
【図１２】
0003675856.tif 000013
【図１３】
0003675856.tif 000014
【図１４】
0003675856.tif 000015
【図１５】
0003675856.tif 000016